(57)【要約】【課題】適切なシャフト質量、シャフト調子を有するゴルフクラブシャフトの選定を可能にするゴルフクラブシャフト選定システムおよびゴルフクラブシャフト選定方法を提供する。【解決手段】ゴルフクラブシャフト選定システムは、ゴルファのスイングにおけるインパクト時のヘッドスピードを検知するヘッドスピード検知ユニット１００と、ゴルファのスイングテンポを検知するスイングテンポ検知ユニット２００と、各々のゴルファのスイング特性に対応したシャフト質量およびシャフト調子を示すチャート３００と、チャート３００を参照しながら、ヘッドスピード検知ユニット１００およびスイングテンポ検知ユニット２００により検知されたヘッドスピードおよびスイングテンポに基づいてゴルファに適したゴルフクラブシャフトを選定する選定ユニット４００と、選定ユニット４００により選定されたゴルフクラブシャフトを表示する表示装置５００とを備える。【選択図】図１
2006289073.tif 000002
【特許請求の範囲】
【請求項１】
ゴルファのスイングにおけるインパクト時のヘッドスピードを検知するヘッドスピード検知手段と、
前記ゴルファのスイングテンポを検知するスイングテンポ検知手段と、
前記ヘッドスピードおよび前記スイングテンポに応じた好ましいシャフト質量を示したチャートと、
前記チャートを参照しながら、前記ヘッドスピード検知手段および前記スイングテンポ検知手段により検知された前記ヘッドスピードおよび前記スイングテンポに基づいて前記ゴルファに適したゴルフクラブシャフトを選定する選定手段と、
前記選定手段により選定されたゴルフクラブシャフトを表示する表示手段とを備えた、ゴルフクラブシャフト選定システム。
【請求項２】
ゴルファのスイングにおけるインパクト時のヘッドスピードを検知するヘッドスピード検知手段と、
前記ゴルファのスイングテンポを検知するスイングテンポ検知手段と、
前記ヘッドスピードおよび前記スイングテンポに応じた好ましいシャフト調子を示したチャートと、
前記チャートを参照しながら、前記ヘッドスピード検知手段および前記スイングテンポ検知手段により検知された前記ヘッドスピードおよび前記スイングテンポに基づいて前記ゴルファに適したゴルフクラブシャフトを選定する選定手段と、
前記選定手段により選定されたゴルフクラブシャフトを表示する表示手段とを備えた、ゴルフクラブシャフト選定システム。
【請求項３】
前記チャートにおける前記シャフト調子の分類は、ゴルフクラブシャフトにおけるシャフト中央部の曲げ剛性値の平均値と、前記シャフト中央部に対してクラブヘッド側に位置する先端部における該クラブシャフトの曲げ剛性値の平均値と、前記シャフト中央部に対してグリップ側に位置する手元部における該クラブシャフトの曲げ剛性値の平均値との関係に基づいて行なわれる、請求項２に記載のゴルフクラブシャフト選定システム。
【請求項４】
ゴルファのスイングにおけるインパクト時のヘッドスピードを検知するヘッドスピード検知手段と、
前記ゴルファのスイングテンポを検知するスイングテンポ検知手段と、
前記ヘッドスピードおよび前記スイングテンポに応じた好ましいシャフト質量を示した第１チャートと、
前記ヘッドスピードおよび前記スイングテンポに応じた好ましいシャフト調子を示した第２チャートと、
前記第１と第２チャートを参照しながら、前記ヘッドスピード検知手段および前記スイングテンポ検知手段により検知された前記ヘッドスピードおよび前記スイングテンポに基づいて前記ゴルファに適したゴルフクラブシャフトを選定する選定手段と、
前記選定手段により選定されたゴルフクラブシャフトを表示する表示手段とを備えた、ゴルフクラブシャフト選定システム。
【請求項５】
前記第２チャートにおける前記シャフト調子の分類は、ゴルフクラブシャフトにおけるシャフト中央部の曲げ剛性値の平均値と、前記シャフト中央部に対してクラブヘッド側に位置する先端部における該クラブシャフトの曲げ剛性値の平均値と、前記シャフト中央部に対してグリップ側に位置する手元部における該クラブシャフトの曲げ剛性値の平均値との関係に基づいて行なわれる、請求項４に記載のゴルフクラブシャフト選定システム。
【請求項６】
前記スイングテンポ検知手段は、スイングにおけるシャフトの最大撓み量、スイング時間、トップオブスイングの所定時間前のクラブヘッド速度およびトップオブスイング近傍におけるクラブヘッド加速度のいずれかに基づいて前記ゴルファのスイングテンポを検知する、請求項１から請求項５のいずれかに記載のゴルフクラブシャフト選定システム。
【請求項７】
前記ヘッドスピードおよび前記スイングテンポに応じた好ましいフレックスを示した他のチャートをさらに備え、
前記選定手段は、前記ゴルファに適したゴルフクラブシャフトを選定する際に前記他のチャートを参照する、請求項１から請求項６のいずれかに記載のゴルフクラブシャフト選定システム。
【請求項８】
ゴルファのスイングにおけるインパクト時のヘッドスピードおよび該ゴルファのスイングテンポを検知するステップと、
前記検知ステップによる検知結果に基づいて前記ゴルファに適したシャフト質量を有するゴルフクラブシャフトを選定するステップとを備えた、ゴルフクラブシャフト選定方法。
【請求項９】
ゴルファのスイングにおけるインパクト時のヘッドスピードおよび該ゴルファのスイングテンポを検知するステップと、
前記検知ステップによる検知結果に基づいて前記ゴルファに適したシャフト調子を有するゴルフクラブシャフトを選定するステップとを備えた、ゴルフクラブシャフト選定方法。
【請求項１０】
ゴルファのスイングにおけるインパクト時のヘッドスピードおよび該ゴルファのスイングテンポを検知するステップと、
前記検知ステップによる検知結果に基づいて前記ゴルファに適したシャフト質量およびシャフト調子を有するゴルフクラブシャフトを選定するステップとを備えた、ゴルフクラブシャフト選定方法。
【請求項１１】
ゴルフクラブシャフトにおけるシャフト中央部の曲げ剛性値の平均値と、前記シャフト中央部に対してクラブヘッド側に位置する先端部における該クラブシャフトの曲げ剛性値の平均値と、前記シャフト中央部に対してグリップ側に位置する手元部における該クラブシャフトの曲げ剛性値の平均値との関係に基づいて前記シャフト調子を分類する、請求項９または請求項１０に記載のゴルフクラブシャフト選定方法。
【請求項１２】
スイングにおけるシャフトの最大撓み量、スイング時間、トップオブスイングの所定時間前のクラブヘッド速度およびトップオブスイング近傍におけるクラブヘッド加速度のいずれかに基づいて前記ゴルファのスイングテンポを検知する、請求項８から請求項１１のいずれかに記載のゴルフクラブシャフト選定方法。
【請求項１３】
前記選定ステップは、前記検知ステップによる検知結果に基づいて前記ゴルファに適したフレックスを有するゴルフクラブシャフトを選定するステップを含む、請求項８から請求項１２のいずれかに記載のゴルフクラブシャフト選定方法。
【発明の詳細な説明】
【技術分野】
【０００１】
本発明は、ゴルフクラブシャフト選定システムおよびゴルフクラブシャフト選定方法に関し、特に、ゴルファのスイングの特性に応じて当該ゴルファに適したゴルフクラブシャフトを選択するゴルフクラブシャフト選定システムおよびゴルフクラブシャフト選定方法に関する。
【背景技術】
【０００２】
ゴルフクラブシャフトには、種々の特性があり、ゴルファは自分に適した特性を有するゴルフクラブシャフトを選択する必要がある。ゴルフクラブシャフトの種々の特性のうち、シャフト質量、フレックスおよびシャフト調子(FLEX POINT)を適切に選定することで、殆どの場合、各々のゴルファに適したクラブシャフトを選定することが可能である。ところが、シャフト質量、フレックスおよびシャフト調子は、それぞれ独立して設計することが可能であることから、これらの組合わせは無数にあり、各々のゴルファに適したゴルフクラブシャフトを選定することは容易ではなかった。
【０００３】
シャフトのフレックス（ＥＩ：曲げ剛性）に着目したゴルフクラブシャフト選定システムとしては、特許第３０６１６４０号公報に記載されたものなどが挙げられる。ここでは、個々のゴルファのスイング時間、スイングスピード（クラブヘッド速度）、クラブヘッド加速度およびシャフトの歪み量のいずれかを測定するか、または、上記測定項目を測定するとともにヘッドスピードを測定することが開示されている。
【０００４】
また、シャフトの曲げ剛性分布（ＥＩ分布）に着目したゴルフクラブシャフト選定システムとしては、特開２００４−１２９６８７号公報に記載されたものなどが挙げられる。ここでは、スイング中のシャフトの変形挙動を測定するシャフト挙動測定手段と、シャフトのＥＩ分布を算出するシャフトＥＩ算出手段と、スイング中のシャフトの変形形状を計算するシャフト形状計算手段とを有する第１解析システムと、ゴルファのスイングを解析分類するスイング分類手段を有する第２解析システムとを備え、上記スイング中の上記シャフトの変形挙動を解析するとともに、上記ゴルファのスイングを分類し、上記ゴルファにとって最適なシャフトを選定することが開示されている。
【０００５】
また、シャフトのねじれ剛性（トルク）に着目したゴルフクラブシャフト選定システムとしては、特開２００１−７０４８２号公報に記載されたものなどが挙げられる。ここでは、個々のゴルファのスイング中のシャフトの歪み量を測定するかあるいは歪み量を測定すると同時に、ヘッドスピードを測定することが開示されている。
【０００６】
また、ねじり歪みの測定方法の他の例としては、特開２００３−２０５０５３号公報に記載されたものなどが挙げられる。ここでは、ゴルフクラブのスイング中にシャフトに生じるねじり歪みを計測し、計測したねじり歪みの時刻歴データにより、シャフトのねじり挙動を含むシャフトの動的評価をすることが開示されている。
【０００７】
また、スイング時のトウダウン量に着目したゴルフクラブシャフト選定システムとしては、特開２００３−２８４８０２号公報に記載されたものなどが挙げられる。ここでは、サンプル用のゴルフクラブをスイングした時のシャフトにかかる曲げモーメント分布を計測し、その計測されたデータとシャフトの曲げ剛性分布から、インパクト直前におけるクラブヘッドのトウ側が下がる向きへのシャフトの撓み量である「トウダウン量」を含む５つの要素を算出し、その算出結果に基づいて、ゴルファに対してより適切な、または、最適なシャフトを選択する方法が開示されている。
【０００８】
また、上記「トウダウン量」の測定方法の他の例としては、特許３５４９３３４号公報に記載されたものが挙げられる。ここでは、ゴルフクラブのトウダウン量を測定する場合に、テレビカメラや光学的検知手段を用いることが開示されている。
【特許文献１】特許第３０６１６４０号公報
【特許文献２】特開２００４−１２９６８７号公報
【特許文献３】特開２００１−７０４８２号公報
【特許文献４】特開２００３−２０５０５３号公報
【特許文献５】特開２００３−２８４８０２号公報
【特許文献６】特許３５４９３３４号公報
【発明の開示】
【発明が解決しようとする課題】
【０００９】
しかしながら、ゴルファがゴルフクラブ（シャフト）を選定する上で、ゴルフクラブシャフトの質量およびシャフト調子（ＥＩ分布）の選定に関しては、これまで、明確な選定基準が得られていない。
【００１０】
本発明は、上記のような問題に鑑みてなされたものであり、本発明の目的は、適切なシャフト質量、シャフト調子を有するゴルフクラブシャフトの選定を可能にするゴルフクラブシャフト選定システムおよびゴルフクラブシャフト選定方法を提供することにある。
【課題を解決するための手段】
【００１１】
本発明に係るゴルフクラブシャフト選定システムは、ゴルファのスイングにおけるインパクト時のヘッドスピードを検知するヘッドスピード検知手段と、ゴルファのスイングテンポを検知するスイングテンポ検知手段とを備える。
【００１２】
なお、本願明細書において「スイングテンポ」とは、各々のゴルファのスイングのテンポを意味する。スイングテンポは、典型的には、スイングにおけるシャフトの最大撓み量、すなわち、シャフト手元部に対する先端部の最大変位量に基づいて評価されるが、スイング時間、トップオブスイングの所定時間前のクラブヘッド速度およびトップオブスイング近傍におけるクラブヘッド加速度のいずれかに基づいて評価されてもよい。
【００１３】
上記ゴルフクラブシャフト選定システムは、１つの局面では、ヘッドスピードおよびスイングテンポに応じた好ましいシャフト質量を示したチャートと、チャートを参照しながら、ヘッドスピード検知手段およびスイングテンポ検知手段により検知されたヘッドスピードおよびスイングテンポに基づいてゴルファに適したゴルフクラブシャフトを選定する選定手段と、選定手段により選定されたゴルフクラブシャフトを表示する表示手段とをさらに備える。
【００１４】
上記構成によれば、個々のゴルファに適したシャフト質量を有するゴルフクラブシャフトが選定される。
【００１５】
上記ゴルフクラブシャフト選定システムは、他の局面では、ヘッドスピードおよびスイングテンポに応じた好ましいシャフト調子を示したチャートと、チャートを参照しながら、ヘッドスピード検知手段およびスイングテンポ検知手段により検知されたヘッドスピードおよびスイングテンポに基づいてゴルファに適したゴルフクラブシャフトを選定する選定手段と、選定手段により選定されたゴルフクラブシャフトを表示する表示手段とをさらに備える。
【００１６】
上記構成によれば、個々のゴルファに適したシャフト調子を有するゴルフクラブシャフトが選定される。
【００１７】
一般的に、シャフト調子は、シャフトのしなりやすい部位がどの部分にあるかで、先・中・手元（元）調子という表現で言い表される。換言すると、シャフトの各部位の曲げ剛性値のバランスがシャフト調子に影響していると言える。
【００１８】
ここで、１つの例として、チャートにおけるシャフト調子の分類は、ゴルフクラブシャフトにおけるシャフト中央部の曲げ剛性値の平均値と、シャフト中央部に対してクラブヘッド側に位置する先端部における該クラブシャフトの曲げ剛性値の平均値と、シャフト中央部に対してグリップ側に位置する手元部における該クラブシャフトの曲げ剛性値の平均値との関係に基づいて行なわれる。
【００１９】
なお、本願明細書において、「クラブシャフト」は、典型的にはドライバ用のクラブシャフトである。この場合、クラブシャフトの「先端部」は、クラブシャフトの先端（クラブヘッド側の端部）からの距離が５０ｍｍ以上１５０ｍｍ以下の部分を意味し、「シャフト中央部」は、クラブシャフトの先端からの距離が４００ｍｍ以上７００ｍｍ以下の部分を意味し、「手元部」は、クラブシャフトの先端からの距離が８００ｍｍ以上１１００ｍｍ以下の部分を意味する。ただし、本願発明の思想は、ドライバ以外のすべてのゴルフクラブに適用可能である。この場合、クラブシャフトの「先端部」は、クラブシャフトの先端からの距離が１００ｍｍ±５０ｍｍの部分を意味し、「シャフト中央部」は、クラブシャフトの長手方向中心（クラブヘッド装着時）±１５０ｍｍの部分を意味し、「手元部」は、クラブシャフトのグリップ端（クラブヘッド装着時）からの距離が１５０ｍｍ±１５０ｍｍの部分を意味する。
【００２０】
上記ゴルフクラブシャフト選定システムは、さらに他の局面では、ヘッドスピードおよびスイングテンポに応じた好ましいシャフト質量を示した第１チャートと、ヘッドスピードおよびスイングテンポに応じた好ましいシャフト調子を示した第２チャートと、第１と第２チャートを参照しながら、ヘッドスピード検知手段およびスイングテンポ検知手段に
より検知されたヘッドスピードおよびスイングテンポに基づいてゴルファに適したゴルフクラブシャフトを選定する選定手段と、選定手段により選定されたゴルフクラブシャフトを表示する表示手段とをさらに備える。
【００２１】
上記構成によれば、個々のゴルファに適したシャフト質量およびシャフト調子を有するゴルフクラブシャフトが選定される。
【００２２】
なお、上記の第１と第２チャートは、別々に設けられていてもよいし、一体のチャートとして設けられていてもよい。
【００２３】
ここで、１つの例として、第２チャートにおけるシャフト調子の分類は、ゴルフクラブシャフトにおけるシャフト中央部の曲げ剛性値の平均値と、シャフト中央部に対してクラブヘッド側に位置する先端部における該クラブシャフトの曲げ剛性値の平均値と、シャフト中央部に対してグリップ側に位置する手元部における該クラブシャフトの曲げ剛性値の平均値との関係に基づいて行なわれる。
【００２４】
上述したゴルフクラブシャフト選定システムにおいて、好ましくは、スイングテンポ検知手段は、スイングにおけるシャフトの最大撓み量、スイング時間、トップオブスイングの所定時間前のクラブヘッド速度およびトップオブスイング近傍におけるクラブヘッド加速度のいずれかに基づいてゴルファのスイングテンポを検知する。
【００２５】
これにより、より正確なスイングテンポの検知を行なうことができる。
上述したゴルフクラブシャフト選定システムは、好ましくは、ヘッドスピードおよびスイングテンポに応じた好ましいフレックスを示した他のチャートをさらに備える。そして、選定手段は、ゴルファに適したゴルフクラブシャフトを選定する際に他のチャートを参照する。
【００２６】
これにより、好ましいシャフト質量／シャフト調子に加えて、好ましいフレックスを有するゴルフクラブシャフトが選定される。
【００２７】
なお、上記ゴルフクラブシャフト選定システムにおいて、「ゴルファに適したゴルフクラブシャフトを選定する」ことは、「ゴルファに適したゴルフクラブを選定する」ことを含み、「選定されたゴルフクラブシャフトを表示する」ことは、「選定されたゴルフクラブを表示する」ことを含む。
【００２８】
本発明に係るゴルフクラブシャフト選定方法は、ゴルファのスイングにおけるインパクト時のヘッドスピードおよび該ゴルファのスイングテンポを検知するステップを備える。
【００２９】
上記ゴルフクラブシャフト選定方法は、１つの局面では、上記検知ステップによる検知結果に基づいてゴルファに適したシャフト質量を有するゴルフクラブシャフトを選定するステップをさらに備える。
【００３０】
上記構成によれば、個々のゴルファに適したシャフト質量を有するゴルフクラブシャフトが選定される。
【００３１】
上記ゴルフクラブシャフト選定方法は、他の局面では、上記検知ステップによる検知結果に基づいてゴルファに適したシャフト調子を有するゴルフクラブシャフトを選定するステップをさらに備える。
【００３２】
上記構成によれば、個々のゴルファに適したシャフト調子を有するゴルフクラブシャフトが選定される。
【００３３】
上記ゴルフクラブシャフト選定方法は、さらに他の局面では、上記検知ステップによる検知結果に基づいてゴルファに適したシャフト質量およびシャフト調子を有するゴルフクラブシャフトを選定するステップをさらに備える。
【００３４】
上記構成によれば、個々のゴルファに適したシャフト質量およびシャフト調子を有するゴルフクラブシャフトが選定される。
【００３５】
上記ゴルフクラブシャフト選定方法において、好ましくは、ゴルフクラブシャフトにおけるシャフト中央部の曲げ剛性値の平均値と、シャフト中央部に対してクラブヘッド側に位置する先端部における該クラブシャフトの曲げ剛性値の平均値と、シャフト中央部に対してグリップ側に位置する手元部における該クラブシャフトの曲げ剛性値の平均値との関係に基づいてシャフト調子を分類する。
【００３６】
上記ゴルフクラブシャフト選定方法において、好ましくは、スイングにおけるシャフトの最大撓み量、スイング時間、トップオブスイングの所定時間前のクラブヘッド速度およびトップオブスイング近傍におけるクラブヘッド加速度のいずれかに基づいてゴルファのスイングテンポを検知する。
【００３７】
上記ゴルフクラブシャフト選定方法において、選定ステップは、好ましくは、検知ステップによる検知結果に基づいてゴルファに適したフレックスを有するゴルフクラブシャフトを選定するステップを含む。
【００３８】
これにより、好ましいシャフト質量／シャフト調子に加えて、好ましいフレックスを有するゴルフクラブシャフトが選定される。
【００３９】
なお、上記ゴルフクラブシャフト選定方法において、「ゴルファに適したゴルフクラブ
シャフトを選定する」ことは、「ゴルファに適したゴルフクラブを選定する」ことを含む。
【発明の効果】
【００４０】
本発明によれば、ゴルフクラブシャフトの質量、調子の明確な選定基準を得ることができる。
【発明を実施するための最良の形態】
【００４１】
以下に、本発明に基づくゴルフクラブシャフト選定システムおよびゴルフクラブシャフト選定方法の実施の形態について説明する。
【００４２】
図１は、本発明の１つの実施の形態に係るゴルフクラブシャフト選定システムの構成を示したブロック図である。図１を参照して、本実施の形態に係るゴルフクラブシャフト選定システムは、ゴルファのスイングにおけるインパクト時のヘッドスピードを検知するヘッドスピード検知ユニット１００と、ゴルファのスイングテンポを検知するスイングテンポ検知ユニット２００とを備える。なお、ヘッドスピード検知ユニット１００およびスイングテンポ検知ユニット２００は、後述するスイング解析装置１に含まれる。
【００４３】
上記ゴルフクラブシャフト選定システムは、各々のゴルファのスイング特性に対応したシャフト質量およびシャフト調子を示すチャート３００と、チャート３００を参照しながら、ヘッドスピード検知ユニット１００およびスイングテンポ検知ユニット２００により検知されたヘッドスピードおよびスイングテンポに基づいてゴルファに適したゴルフクラブシャフトを選定する選定ユニット４００と、選定ユニット４００により選定されたゴルフクラブシャフトを表示する表示装置５００とをさらに備える。ここで、チャート３００は、各々のゴルファのヘッドスピードおよびスイングテンポに応じた好ましいシャフト質量を示した第１チャート３１０と、各々のゴルファのヘッドスピードおよびスイングテンポに応じた好ましいシャフト調子を示した第２チャート３２０と、各々のゴルファのヘッドスピードおよびスイングテンポに応じた好ましいフレックスを示した第３チャート３３０（他のチャート）とを含む。
【００４４】
チャート３００は、たとえば、コンピュータのハードディスクに記憶される。選定ユニット４００としては、たとえば、ＣＰＵを有するコンピュータが用いられる。選定ユニット４００に接続される表示装置５００は、ディスプレイ装置であってもよいし、プリンタ装置であってもよい。
【００４５】
選定ユニット４００には、スイング解析装置１からの情報が入力される。選定ユニット４００は、チャート３００を参照しながら、スイング解析装置１による解析結果に基づいて、各々のゴルファのスイング特性を分類し、その分類結果に基づいて、各々のゴルファに適したシャフト質量およびシャフト調子を有するゴルフクラブシャフトを選定する。選定結果は表示装置５００に表示される。
【００４６】
なお、チャート３００は、ヘッドスピード／スイングテンポと好ましいシャフト質量／シャフト調子との関係を図示したパネルであってもよい。また、選定ユニット４００に代えて、「人」が、好ましいシャフトの選定を行なってもよい。
【００４７】
図２は、図１に示されるスイング解析装置の構成を示したブロック図である。図２を参照して、スイング解析装置１は、ゴルファ２がゴルフクラブ３を用いてボール４を打つ際のスイングを解析する。スイング解析装置１は、ハイスピードカメラ１Ａ，１Ｂと、ハイスピードビデオテープレコーダ１Ｃと、メタヘキサライト１Ｄと、ストロボ電源１Ｅと、ストロボ１Ｆとを有する。
【００４８】
ハイスピードカメラ１Ａは、ボール４を正面から撮影する。また、ハイスピードカメラ
１Ｂは、ゴルファ２の頭上を体の正面側から撮影する。ハイスピードカメラ１Ａ，１Ｂのコマ数は、たとえば１／２００ｓｅｃである。ハイスピードカメラ１Ａ，１Ｂの出力は、ハイスピードビデオテープレコーダ１Ｃによって録画される。ゴルファ２とボール４とを照明するために、メタヘキサライト１Ｄが用いられる。さらに、ゴルファ２をストロボ照明するために、ストロボ電源１Ｅに接続されたストロボ１Ｆが設けられる。ストロボ１Ｆは、ゴルファ２がスイングを開始する前に、ストロボ電源１Ｅによって起動され発光する。ストロボ１Ｆは、ハイスピードビデオテープレコーダ１Ｃの録画ボタンが押されることにより起動される。
【００４９】
ハイスピードビデオテープレコーダ１Ｃは、ＣＰＵを有するコンピュータである選定ユニット４００を介してディスプレイ装置である表示装置５００に接続される。そして、ハイスピードビデオテープレコーダ１Ｃに録画された画像は、表示装置５００上に表示される。
【００５０】
次に、スイング解析装置１の動作について説明する。まず、ハイスピードビデオテープレコーダ１Ｃの録画ボタンが操作され、録画が開示される。その際、ストロボ電源１Ｅによってストロボ１Ｆが発光する。ゴルファ２がゴルフクラブ３をスイングすると、ハイスピードカメラ１Ａによって、ボール４付近の画像が撮影され、ハイスピードカメラ１Ｂによって、トップオブスイング（クラブヘッドがゴルファの頭上で静止する位置）付近の画像が撮影される。ハイスピードカメラ１Ａ，１Ｂによって撮影された画像は、ハイスピードビデオテープレコーダ１Ｃによって録画される。再びスイングを行なう際は、ハイスピードビデオテープレコーダ１Ｃを一時停止させ、同じ動作を繰返す。スイング計測を終了する際は、ハイスピードビデオテープレコーダ１Ｃによる録画を停止させる。
【００５１】
次に、テープが巻き戻され、ハイスピードビデオテープレコーダ１Ｃに録画された画像が表示装置５００上に再生される。そして、コマ送り操作によって、スイング開始時刻とインパクト時刻とを検出する。これにより、スイング開始からインパクトまでの「スイング時間」が検知される。「スイング時間」は、「スイングテンポ」を示す一指標となる。また、コマ送り操作によってインパクト時のヘッドスピードを検知することができる。
【００５２】
図３は、トップオブスイング付近のゴルフクラブの動きをコマ送り（０．０１秒間隔）で示した図である。図３に示される画像は、ハイスピードカメラ１Ｂによって撮影される。図３を参照して、ゴルフクラブ３は、トップオブスイング時刻の０．１秒前に「Ａ２」に位置し、矢印ＤＲ１の方向に移動した後、トップオブスイング位置「Ａ１」に達する。その後、ゴルフクラブ３は、矢印ＤＲ２の方向に動いてインパクト位置へと向かう。
【００５３】
図３に示される画像を解析することによって、トップオブスイングの所定時間前（たとえば０．０８秒前）のクラブヘッドの移動速度（「スイングスピード」）を検出することができる。同様に、トップオブスイング近傍におけるクラブヘッド加速度（「スイング加速度」）を検出することも可能である。「スイングスピード」および「スイング加速度」は、「スイングテンポ」を示す一指標となる。
【００５４】
図４は、図１に示されるスイング解析装置の変形例の構成を示したブロック図である。また、図５は、図４に示されるスイング解析装置におけるスイング解析に用いられるゴルフクラブを示した図であり、図６は、図５におけるＶＩ−ＶＩ断面を示す図である。図４を参照して、本変形例に係るスイング解析装置１は、クラブシャフト５に貼付けられた歪みゲージ１Ｇと、ブリッジボックス１Ｈと、増幅器１Ｉとを有する。歪みゲージ１Ｇは、図５に示すように、クラブシャフト５の長さ方向に複数設けられた歪みゲージ貼付位置１０Ｇ〜１３Ｇにそれぞれ設けられる。また、歪みゲージ１Ｇは、図６に示すように、クラブシャフト５の飛球線方向（ｘ軸方向）の側面と、飛球線方向に直交する方向（ｙ軸方向
）の側面とに貼付けられる。ｘ軸方向の歪み量とｙ軸方向の歪み量とを合成した合成歪み量から、ゴルフクラブシャフト５の撓み量が求められる。なお、歪みゲージ１Ｇを貼付する歪みゲージ貼付位置は、クラブシャフト５の長さ方向に１箇所だけ設けられてもよい。本実施の形態では、グリップ側端部から約１４インチ（約３６０ｍｍ）の位置に歪みゲージを設けている。
【００５５】
再び図４を参照して、歪みゲージ１Ｇにより、スイング中のクラブシャフト５の歪み量が検出される。検出された歪み量は、ブリッジボックス１Ｈおよび増幅器１Ｉを介して、ＣＰＵを有するコンピュータである選定ユニット４００に送られ、表示装置５００上に表示される。これにより、スイング中のクラブシャフト５の撓み量の変化が計測される。クラブシャフト５の撓み量は、トップオブスイング近傍において最大となる。この「最大撓み量」は、「スイングテンポ」を示す一指標となる。なお、一般には、スイング中の好ましい「最大撓み量」は、７０〜１３０ｍｍ程度（さらに好ましくは１００ｍｍ程度）である。
【００５６】
上記「最大撓み量」は、シャフト手元部に対する先端部の最大変位量である。ここでは、グリップ側端部から一般にゴルファがグリップする長さ（約７インチ、約１８０ｍｍ）までの部分を手元部として、手元部に対する先端部の最大変位量を算出した。
【００５７】
上述したように、本実施の形態に係るゴルフクラブ選定システムにおいては、スイング中のシャフトの最大撓み量、スイング時間、トップオブスイングの所定時間前のクラブヘッド速度（スイングスピード）およびトップオブスイング近傍におけるクラブヘッド加速度（スイング加速度）のいずれかに基づいてゴルファのスイングテンポが検知されている。上記いずれのパラメータを用いた場合も、ゴルフクラブシャフトの選定に必要な「スイングテンポ」を正確に検知することができる。
【００５８】
図７は、本発明の１つの実施の形態に係るゴルフクラブシャフト選定方法を説明するフローチャートである。図７を参照して、Ｓ１０にて、スイングにおけるインパクト時のヘッドスピードおよびスイングテンポが計測される。該計測は、たとえば、図２，図４に示されるスイング解析装置１を用いて行なわれる。
【００５９】
次に、Ｓ２０にて、スイング解析装置１による計測結果に基づいて、そのゴルファのスイングの特性を分類する。すなわち、そのゴルファのヘッドスピードおよびスイングテンポが、予め準備された複数のグループ中のどのグループに属するかについて判別する。
【００６０】
そして、Ｓ３０にて、上記分類結果に基づいて、そのゴルファのゴルファのスイング特性（ヘッドスピードおよびスイングテンポ）に応じたクラブシャフトを選定する。この際に、インパクト時のヘッドスピードおよびスイングテンポに応じた好ましいシャフト質量を示した第１チャート３１０と、インパクト時のヘッドスピードおよびスイングテンポに応じた好ましいシャフト調子を示した第２チャート３２０と、インパクト時のヘッドスピードおよびスイングテンポに応じた好ましいフレックスを示した第３チャート３３０とを有するチャート３００が参照される。なお、Ｓ３０にて選定されるゴルフクラブシャフトは、１本であってもよいし、複数本（たとえば２〜３本）であってもよい。
【００６１】
なお、Ｓ２０の分類ステップは省略することが可能である。つまり、Ｓ１０における計測結果に基づいてＳ３０の選定ステップが行なわれてもよい。
【００６２】
続いて、Ｓ４０にて、選定されたクラブシャフトを有するゴルフクラブを用いて試打を行なう。Ｓ５０にて、試打を行なったゴルフクラブの評価を行なう。ここでは、たとえば「ヘッドスピード」、「ボール速度」、「ミート率」、「ボールスピン量」、「飛出角度」、「打点位置のばらつき」、「弾道のばらつき」などの客観的なデータと、「タイミングが取りやすい／タイミングが取りにくい」、「振りやすい／振りにくい」というゴルファの感覚とを評価の基準として用いることが可能である。
【００６３】
ここで、Ｓ５０における評価方法の例について説明する。
上記「打点位置のばらつき」は、たとえば、打球時にボールが接触した部分が変色するいわゆる「フェイスシール」をクラブヘッドのフェイス部に貼付して試打することで検知することができる。
【００６４】
また、「ミート率」を用いて評価する場合には、以下のような手法を用いる。
ミート率（＝ボール初速／ヘッドスピード）は、高ければ高いほど良いとされる望大特性である。ｉ球目のミート率をｙｉとすると、ミート率ｙｉ（ｉ＝１〜ｎ）のＳＮ比（η）は、下記の数１,数２により求められる。
【００６５】
【数１】
2006289073.tif 000003
【００６６】
【数２】
2006289073.tif 000004
【００６７】
質量が５０ｇ，６０ｇ，７０ｇのクラブシャフトを用いて、それぞれ３回ずつ試打を行なった場合のミート率およびそのＳＮ比の一例を表１に示す。
【００６８】
【表１】
2006289073.tif 000005
【００６９】
表１に示される例では、シャフト質量が６０ｇの場合に最もＳＮ比が高くなる。したがって、質量６０ｇのクラブシャフトが最も良いと判断される。
【００７０】
上述した内容について要約すると、以下のようになる。すなわち、本実施の形態に係る
ゴルフクラブシャフト選定方法は、ゴルファのスイングにおけるインパクト時のヘッドスピードおよび該ゴルファのスイングテンポを検知するステップ（Ｓ１０）と、検知ステップによる検知結果に基づいてゴルファのスイングを分類するステップ（Ｓ２０）と、分類ステップによる分類結果に基づいてゴルファに適したシャフト質量およびシャフト調子を有するゴルフクラブシャフトを選定するステップ（Ｓ３０）とを備える。
【００７１】
本願発明者らは、ゴルファのスイングタイプ（インパクト時のヘッドスピードおよびスイングテンポ）と、該ゴルファに適したシャフト質量およびシャフト調子との間に一定の関係が見出されることを確認している。したがって、上記クラブシャフト選定方法によれば、シャフト質量およびシャフト調子に関して、客観的な選定基準を得ることができる。結果として、各々のゴルファにより適したゴルフクラブを選定することが可能になる。
【００７２】
また、本願発明者らは、各々のゴルファのスイング特性に応じたシャフト調子の選定には、長さ方向の中央部（シャフト中央部）におけるクラブシャフトの曲げ剛性値と手元部および先端部におけるクラブシャフトの曲げ剛性値との関係が密接に関連していることを確認している。したがって、選定対象となるシャフト調子の分類を、該クラブシャフトにおけるシャフト中央部の曲げ剛性値と、先端部における該クラブシャフトの曲げ剛性値と、手元部における該クラブシャフトの曲げ剛性値との関係に基づいて行なうことで、各々のゴルファにより適したシャフト調子の選定を行なうことができる。
【００７３】
なお、本実施の形態においては、チャート３００が、インパクト時のヘッドスピードおよびスイングテンポに応じた好ましいシャフト質量を示した第１チャート３１０と、インパクト時のヘッドスピードおよびスイングテンポに応じた好ましいシャフト調子を示した第２チャート３２０と、各々のゴルファのヘッドスピードおよびスイングテンポに応じた好ましいフレックスを示した第３チャート３３０とを有する場合について主に説明したが、チャート３００は、第１と第２チャート３１０，３２０のみを有してもよいし、第１チャート３１０のみを有してもよいし、第２チャート３２０のみを有してもよい。
【００７４】
チャート３００が第１から第３チャート３１０，３２０，３３０を有する場合は、各々のゴルファに適したシャフト質量、シャフト調子およびフレックスを有するクラブシャフトの選定を支援することができる。チャート３００が第１と第２チャート３１０，３２０のみを有する場合は、各々のゴルファに適したシャフト質量およびシャフト調子を有するクラブシャフトの選定が支援される。また、チャート３００が第１チャート３１０のみを有する場合は、各々のゴルファに適したシャフト質量を有するクラブシャフトの選定が支援され、チャート３００が第２チャート３２０のみを有する場合は、各々のゴルファに適したシャフト調子を有するクラブシャフトの選定が支援される。
【００７５】
なお、上述したＳ４０の試打に用いる複数の試打クラブとしては、同一のクラブヘッド、同一のヘッド質量、同一の長さおよび同一のグリップを有するものを用いることが好ましい。これにより、各々のゴルファに適したクラブシャフトの選定を行なうことで、各々のゴルファに適したゴルフクラブを選定することができる。
【実施例１】
【００７６】
図８は、本発明の１つの実施例に係るゴルフクラブシャフト選定方法に用いられるゴルフクラブシャフトの外径および曲げ剛性分布（ＥＩ分布）を示した図である。なお、図８における横軸は、ゴルフクラブシャフトのクラブヘッド側端部からの距離を示す。図８の例では、ゴルフクラブシャフトの外径および曲げ剛性は、クラブヘッド側からグリップ側に向かって大きくなる。
【００７７】
図８においては、それぞれ異なるＥＩ分布を有しながら、片持ち梁モデルでは同じ撓み量を示す３本のクラブシャフト（バットスタンダード／バットスティフ／バットソフト）のデータが示されている。「片持ち梁モデル」および「バットスタンダード／バットスティフ／バットソフト」の詳細については後述する。
【００７８】
以下に、ゴルフクラブシャフトの曲げ剛性分布の測定方法について説明する。
曲げ剛性値は、３点曲げ試験による変位−荷重の傾きから以下の計算式により求められる。
ＥＩ＝（Ｗ／δ）×Ｌ3／４８
ＥＩ：曲げ剛性値、Ｗ：荷重、δ：荷重点のたわみ量（変位）、Ｌ：スパン（支点間距離）
本願発明者らが行なった３点曲げ試験での諸条件を次に示す。
【００７９】
支点は、Ｒ１０（半径１０ｍｍ）のものを、その支点間の距離：スパンＬを２００ｍｍに設定し、荷重点は、Ｒ７５ｍｍ（半径７５ｍｍ）の圧子治具（鉄製）を用い、支点間の中央部で負荷するように設定する。試験速度は、２ｍｍ／分で、Ｗ／δは、荷重：１０ｋｇｆ（９８Ｎ）〜２０ｋｇｆ（１９６Ｎ）の時の、たわみ量変化（変位）のデータを抽出する。これにより、荷重点の曲げ剛性値が求められる。荷重点を移動させて計測を繰返すことで、曲げ剛性分布が求められる。
【００８０】
一方、４点曲げ試験による曲げ剛性値の計測は、外径の割に肉厚が薄い場合（特に手元部）に有効である。４点曲げ試験の場合は、曲げ剛性値は、次式にて計算される。
ＥＩ＝（Ｗ／δ）×（ａ／４８）×（３Ｌ2−４ａ2）
ＥＩ：曲げ剛性値、Ｗ：荷重（但し、荷重点は２箇所で、各々の荷重はＷ／２）、Ｌ：スパン（支点間距離）、δ：スパンの中央部（支点間中央部）のたわみ量（変位）、ａ：片側の支点から隣り合う荷重点までの距離、（Ｌ−ａ）／２：２ヶ所の荷重点間の距離
本願発明者らが行なった４点曲げ試験での諸条件を次に示す。
【００８１】
支点は、Ｒ７５（半径７５ｍｍ）のものを、荷重点は、Ｒ７５ｍｍ（半径７５ｍｍ）の圧子治具（鉄製）を用い、その支点間の距離：スパンＬを３００ｍｍに設定し、２ヶ所の荷重点間の距離を１３０ｍｍに、すなわち、片側の支点から隣り合う荷重点までの距離：ａを８５ｍｍに設定した。試験速度は、２ｍｍ／分で、Ｗ／δは、荷重：１５ｋｇｆ（１４７Ｎ）〜２０ｋｇｆ（１９６Ｎ）の時の、たわみ量変化（変位）のデータを抽出する。これにより、２ヶ所の荷重点の中央部の曲げ剛性値が求められる。荷重点を移動させて計測を繰返すことで、曲げ剛性分布が求められる。
【００８２】
また、曲げ剛性値を測定したい位置に、一方向の歪みゲージをゴルフクラブシャフトの長手方向に貼付し、該シャフトのグリップ部を固定し、該シャフトのヘッド側に荷重を負荷する際の歪み変化εを計測することにより、曲げ剛性値ＥＩを算出する方法もある。この場合、曲げ剛性値は、次式にて計算される。
ＥＩ＝（Ｗ×Ｌ）×（ｄ／２）／ε
ＥＩ：曲げ剛性値、Ｗ：荷重、Ｌ：歪み計測位置から荷重点までの距離、ｄ：歪み測定位置の外径、ε：歪み量
本願発明者らが行なった歪みゲージを用いた時の試験での諸条件を次に示す。
【００８３】
まず、曲げ剛性値を計測したい位置に歪みゲージを貼付する。次に、該シャフトのグリップ側の５０ｍｍを、円筒用チャック（三つ爪チャック）で、歪みゲージが上面になるように固定する。荷重点は、歪みゲージの位置から該シャフトのヘッド側Ｌ：７００ｍｍの位置に負荷する。負荷方法は、Ｗ：１ｋｇｆ（９．８Ｎ）の錘を吊り下げる。その錘を吊り下げる前後の歪みゲージの出力される値を歪み量εとして用いる。なお、歪み測定位置の外径ｄは、別途計測される。
【００８４】
図９は、本実施例に係るゴルフクラブシャフト選定方法における検知ステップにより検知されたヘッドスピードおよびスイングテンポ（スイング中のクラブシャフトの最大撓み量）の分布を示す図である。本実施例では、図８に示される外径および曲げ剛性分布を有するゴルフクラブシャフトを備えたゴルフクラブ（ドライバーおよび６番アイアン）を用いて計測を行なった。図９は、３００名以上のゴルファのスイングについて計測した結果を示している。
【００８５】
図９に示されるように、スイングテンポとヘッドスピード（インパクト時）との間には、必ずしも相関関係は見出されない。したがって、各々のゴルファのスイング特性の分類に際しては、スイングテンポおよびヘッドスピードの両方を考慮する必要がある。
【００８６】
図１０は、ヘッドスピードとミート率のＳＮ比の高い頻度との関係をシャフト質量別に示した図である。図１０に示す結果は、約９０人の一般的なゴルファを母集団とするデータである。図１０を参照して、シャフト質量が５０ｇの場合は、ヘッドスピードが４１（ｍ／ｓ）のときにＳＮ比の高い頻度が極大となり、シャフト質量が６０ｇの場合は、ヘッドスピードが４３（ｍ／ｓ）のときにＳＮ比の高い頻度が極大となり、シャフト質量が７０ｇの場合は、ヘッドスピードが４５（ｍ／ｓ）のときにＳＮ比の高い頻度が極大となる。換言すると、ヘッドスピードが４１（ｍ／ｓ）程度のゴルファには質量が５０ｇ程度のクラブシャフトが適しており、ヘッドスピードが４３（ｍ／ｓ）程度のゴルファには質量が６０ｇ程度のクラブシャフトが適しており、ヘッドスピードが４５（ｍ／ｓ）程度のゴルファには質量が７０ｇ程度のクラブシャフトが適している。このように、ヘッドスピードが大きいゴルファに対しては、質量が大きいクラブシャフトが適しているという傾向が見られる。
【００８７】
図１１は、図１０の結果から導かれる、スイング特性と好ましいシャフト質量との関係を説明する図（第１チャート）である。図１１を参照して、各々のゴルファのヘッドスピードと該ゴルファに適したシャフト質量とは完全には１対１に対応しないため、図１１において、複数のシャフト質量（たとえば４０ｇと５０ｇ）が適している領域が重なる部分が存在する。本実施例では、図１１に示すように、４０ｇ，５０ｇ，６０ｇ，７０ｇ，８０ｇの質量のクラブシャフトを揃えることで、約９割のゴルファをカバーすることができた。
【００８８】
図１２は、スイング特性と好ましいシャフト調子との関係を説明する図（第２チャート）である。図１２において、「ＮＯＲＭＡＬ」ラインは、優れたゴルファ（たとえば、プロまたはハンディキャップがシングル）の集団において、ヘッドスピードとスイングテンポとの関係が平均的なレベルであるラインを示す。ここでは、上記優れたゴルファのヘッドスピードおよびスイングテンポのデータから、最小二乗法により「ＮＯＲＭＡＬ」ラインを導出している。図１２を参照して、スイング特性がＮＯＲＭＡＬラインから（矢印ＤＲ３，ＤＲ４方向に）離れるに従って、シャフト曲げ剛性分布を標準から離す必要がある。図１２においては、ＳＴＩＦＦラインとＳＯＦＴラインとの間に分布するゴルファ（すなわち、ヘッドスピードとスイングテンポとのバランスがよいゴルファ）の場合は、標準的な曲げ剛性分布を有するタイプ（以下、「バットスタンダード」と称する。）のクラブシャフトが適しており、ＳＴＩＦＦラインよりも右下に分布するゴルファ（すなわち、ヘッドスピードの割にスイングテンポが速いゴルファ）の場合は、手元部が比較的硬いタイプ（以下、「バットスティフ」と称する。）のクラブシャフトが適しており、ＳＯＦＴラインよりも左上に分布するゴルファ（すなわち、ヘッドスピードの割にスイングテンポが遅いゴルファ）の場合は、手元部が比較的軟らかいタイプ（以下、「バットソフト」と称する。）のクラブシャフトが適している。
【００８９】
図１３は、スイング特性と好ましいフレックスとの関係を説明する図（第３チャート）である。図１３においては、各々のゴルファに適したシャフトのフレックス（Ｘフレックス（♯Ｘ），Ｓフレックス（♯Ｓ），ＳＲフレックス（♯ＳＲ），Ｒ１フレックス（♯Ｒ１），Ｒ２フレックス（♯Ｒ２），Ｌフレックス（♯Ｌ））が示されている。図１３を参照して、ヘッドスピードが速く、かつ、スイングテンポが速いゴルファには、比較的硬いゴルフクラブシャフト（Ｘフレックス，Ｓフレックスなど）が適しており、ヘッドスピードが遅く、かつ、スイングテンポが遅いゴルファには、比較的柔らかいゴルフクラブシャフト（Ｒ２フレックス，Ｌフレックスなど）が適している。
【００９０】
図１４は、シャフト曲げ剛性分布（シャフト調子）の分類方法を説明する図である。図１４を参照して、本願発明者らは、シャフト中央部の曲げ剛性値の平均値に対するシャフトの先端部の曲げ剛性値の平均値の比（ＴＩＰ係数）と、シャフト中央部の曲げ剛性値の平均値に対するシャフトの手元部の曲げ剛性値の平均値の比（ＢＵＴＴ係数）とを用いてシャフト調子（曲げ剛性分布）の分類を行なった。ここでは、今日、日米欧で発売されているクラブシャフト（１５０種類程度）のＴＩＰ係数およびＢＵＴＴ係数の平均値（ＴＩＰ計数：０．５４，ＢＵＴＴ係数：２．０）が原点とされている。
【００９１】
一般に、曲げ剛性値の５％以下の変動は実感しにくいと言われている。したがって、ＢＵＴＴ係数が１．９以上２．１以下程度である範囲を、「第１カテゴリ」と分類し、ＴＩＰ係数が０．５４程度より大きく、かつ、ＢＵＴＴ係数が２．１程度より大きい範囲を、「第２カテゴリ」と分類し、ＴＩＰ係数が０．５４程度より小さく、かつ、ＢＵＴＴ係数が１．９程度より小さい範囲を、「第３カテゴリ」と分類することができる。なお、上記「第１カテゴリ」は、手元部の硬さが平均的である（すなわち、ＢＵＴＴ係数が１．９以上２．１以下程度である）「バットスタンダード」の領域に対応する。「第２カテゴリ」は、手元部が比較的硬く（すなわち、ＢＵＴＴ係数が２．１程度より大きく）、かつ、先端部が比較的硬い領域に含まれる。この領域を「バットスティフ」とする。「第３カテゴリ」は、手元部が比較的軟らかく（すなわち、ＢＵＴＴ係数が１．９程度より小さく）、かつ、先端部が比較的軟らかい領域に含まれる。この領域を「バットソフト」とする。
【００９２】
なお、本願発明者らは、選定対象となるゴルフクラブシャフトとして、ＴＩＰ係数とＢＵＴＴ係数との関係が平均的なライン上に分布する「バットソフト」，「バットスタンダード」，「バットスティフ」のクラブシャフト（たとえば、図１４における「ＳＯＦＴ」，「ＳＴＡＮＤＡＲＤ」，「ＳＴＩＦＦ」）を準備した。このようにすることで、ＢＵＴＴ係数を決定すると同時にＴＩＰ係数も決定することができる。
【００９３】
図１４に示される「ＳＯＦＴ」，「ＳＴＡＮＤＡＲＤ」，「ＳＴＩＦＦ」は、図１５に示される片持ち梁モデルにおいて、すべて同じ撓み量を示すように設計されている。スイング中のクラブシャフトの変形は、手元側のしなりの影響が大きく、図１５のような片持ち梁のモデルとして扱うことができる。上記のように、片持ち梁モデルにおいて、すべて同じ撓み量を示すようにすることで、どのクラブシャフトを用いて試打した場合にも、スイングテンポを均一に評価することができる。なお、図１５において、手元側支点からシャフト先端までの距離：Ｌ１、支点間距離：Ｌ２、シャフト中央部側支点から測定点までの距離：Ｌ３、測定点−荷重点間距離：Ｌ４および荷重点からシャフト先端までの距離：Ｌ５は、たとえば、Ｌ１＝１０２０（ｍｍ），Ｌ２＝１００（ｍｍ），Ｌ３＝８３３（ｍｍ），Ｌ４＝６７（ｍｍ），Ｌ５＝２０（ｍｍ）である。
【００９４】
図１６は、スイング特性と、好ましいシャフト質量、フレックス、シャフト調子との関係を説明する図である。図１６においては、スイング特性（ヘッドスピードおよびスイングテンポ）に対する好ましいシャフト質量（５０ｇ，６０ｇ，７０ｇ，８０ｇ）、フレックス、シャフト調子が重ねて記載されている。
【００９５】
図１６において、「Ｇ１」のスイング特性を有するゴルファの場合、シャフト質量としては７０ｇまたは８０ｇが適しており、フレックスとしては「ＳＲ」が適しており、シャフト調子としては「バットソフト」が適している。したがって、当該ゴルファの場合は、下記１〜２のクラブシャフトを有するゴルフクラブで試打が行なわれ、ミート率のＳＮ比が最も高いクラブシャフトが選定される。
１．質量：７０ｇ、フレックス：ＳＲ、シャフト調子：バットソフト
２．質量：８０ｇ、フレックス：ＳＲ、シャフト調子：バットソフト
図１６において、「Ｇ２」のスイング特性を有するゴルファの場合、シャフト質量としては６０ｇまたは７０ｇが適しており、フレックスとしては「ＳＲ」が適しており、シャフト調子としては「バットスタンダード」が適している。したがって、当該ゴルファの場合は、下記１〜２のクラブシャフトを有するゴルフクラブで試打が行なわれ、ミート率のＳＮ比が最も高いクラブシャフトが選定される。
１．質量：６０ｇ、フレックス：ＳＲ、シャフト調子：バットスタンダード
２．質量：７０ｇ、フレックス：ＳＲ、シャフト調子：バットスタンダード
また、図１６において、「Ｇ３」のスイング特性を有するゴルファの場合、シャフト質量としては５０ｇまたは６０ｇが適しており、フレックスとしては「Ｓ」が適しており、シャフト調子としては「バットスティフ」が適している。したがって、当該ゴルファの場合は、下記１〜２のクラブシャフトを有するゴルフクラブで試打が行なわれ、ミート率のＳＮ比が最も高いクラブシャフトが選定される。
１．質量：５０ｇ、フレックス：Ｓ、シャフト調子：バットスティフ
２．質量：６０ｇ、フレックス：Ｓ、シャフト調子：バットスティフ
以上のようにして、ヘッドスピードおよびスイングテンポからシャフト質量、フレックスおよび曲げ剛性分布を同時に選択することができる。
【００９６】
表２は、本実施例に係るゴルフクラブシャフト選定方法を実施するにあたり、本願発明者らが準備したゴルフクラブシャフトのタイプを示す。
【００９７】
【表２】
2006289073.tif 000006
【００９８】
本実施例に係るゴルフクラブシャフト選定方法を実施するにあたり必要なクラブシャフトのタイプは、以下のように導出される。図１７は、図１６の記載から、「４０ｇ」のシャフトが適した範囲と、好ましいシャフト調子およびフレックスを示す部分を抜き出して示した図である。図１７を参照して、シャフト質量が４０ｇの場合、「バットソフト」が適した領域は、Ｒ２フレックスおよびＲ１フレックスが適した領域と重なり、「バットスタンダード」が適した領域は、Ｒ１フレックスおよびＳＲフレックスが適した領域と重なり、「バットスティフ」が適した領域は、Ｒ１フレックス、ＳＲフレックスおよびＳフレックスが適した領域と重なる。したがって、質量が４０ｇのクラブシャフトに関しては、フレックスがＲ２フレックスおよびＲ１フレックスである「バットソフト」のクラブシャフトと、フレックスがＲ１フレックスおよびＳＲフレックスである「バットスタンダード」のクラブシャフトと、フレックスがＲ１フレックス、ＳＲフレックスおよびＳフレックスである「バットスティフ」のクラブシャフトとを準備すればよい。このように、本実施例に係るゴルフクラブシャフト選定方法を実施するにあたり必要なクラブシャフトのタイプは、すべて図１６から導出される。本実施例では、表２に示されるタイプのクラブシャフトを準備することで、約９割のゴルファをカバーすることができた。
【００９９】
ゴルフクラブシャフトの設計において、シャフト質量、シャフト調子およびフレックスは、それぞれ互いに独立して調整することが可能である。したがって、表２に示されるように、５種類のシャフト質量、３種類のシャフト調子および５種類のフレックスのクラブシャフトを準備する場合、７５（＝５×３×５）タイプのクラブシャフトを準備することになる。これに対し、本実施例では、表２に示すように、合計３４タイプ（バットソフト：１１タイプ、バットスタンダード：１１タイプ、バットスティフ：１２タイプ）のクラブシャフトを準備するだけで、約９割のゴルファにとって最適なゴルフクラブシャフトを選定することができた。さらに、本実施例では、各々のゴルファのヘッドスピードおよびスイングテンポを計測するだけで、各々のゴルファに適したゴルフクラブシャフトを数本（たとえば２本）に絞り込むことができる。このように、本実施例に係るゴルフクラブシャフト選定方法によれば、簡便な手法で、様々なタイプのクラブシャフトから各々のゴルファに最適なクラブシャフトを適切に選定することが可能である。なお、本願発明者らは、実際に選定された複数本のクラブシャフトを用いて各々のゴルファが試打を行なった結果、当該シャフトのうち少なくとも一本のクラブシャフトにより、十分に高いミート率のＳＮ比が得られることを実験により確認している。
【０１００】
以上、本発明の実施の形態および実施例について説明したが、今回開示された実施の形態および実施例はすべての点で例示であって制限的なものではないと考えられるべきである。本発明の範囲は特許請求の範囲によって示され、特許請求の範囲と均等の意味および範囲内でのすべての変更が含まれることが意図される。
【図面の簡単な説明】
【０１０１】
【図１】本発明の１つの実施の形態に係るゴルフクラブシャフト選定システムの構成を示したブロック図である。
【図２】図１に示されるスイング解析装置の構成を示したブロック図である。
【図３】ゴルフスイングにおけるトップオブスイング付近のゴルフクラブの動きを示した図である。
【図４】図１に示されるスイング解析装置の変形例の構成を示したブロック図である。
【図５】図４に示されるスイング解析装置におけるスイング解析に用いられるゴルフクラブを示した図である。
【図６】図５におけるＶＩ−ＶＩ断面を示す図である。
【図７】本発明の１つの実施の形態に係るゴルフクラブシャフト選定方法を説明するフローチャートである。
【図８】本発明の１つの実施例に係るゴルフクラブシャフト選定方法に用いられるゴルフクラブシャフトの外径および曲げ剛性分布を示した図である。
【図９】本発明の１つの実施例に係るゴルフクラブシャフト選定方法における検知ステップにより検知されたヘッドスピードおよびスイングテンポの分布を示す図である。
【図１０】ヘッドスピードとミート率のＳＮ比の高い頻度との関係をシャフト質量別に示した図である。
【図１１】スイング特性と好ましいシャフト質量との関係を説明する図（第１チャート）である。
【図１２】スイング特性と好ましいシャフト調子との関係を説明する図（第２チャート）である。
【図１３】スイング特性と好ましいフレックスとの関係を示した図（第３チャート）である。
【図１４】シャフト曲げ剛性分布の分類方法を説明する図である。
【図１５】片持ち梁モデルを説明する図である。
【図１６】スイング特性と、好ましいシャフト質量、フレックス、シャフト調子との関係を説明する図である。
【図１７】図１６の記載から、「４０ｇ」のシャフトが適した範囲と、好ましいシャフト調子およびフレックスを示す部分を抜き出して示した図である。
【符号の説明】
【０１０２】
１  スイング解析装置、１Ａ，１Ｂ  ハイスピードカメラ、１Ｃ  ハイスピードビデオテープレコーダ、１Ｄ  メタヘキサライト、１Ｅ  ストロボ電源、１Ｆ  ストロボ、１Ｇ
歪みゲージ、１Ｈ  ブリッジボックス、１Ｉ  増幅器、２  ゴルファ、３  ゴルフクラブ、４  ボール、５  クラブシャフト、１０Ｇ〜１３Ｇ  歪みゲージ貼付位置、１００  ヘッドスピード検知ユニット、２００  スイングテンポ検知ユニット、３００  チャート、３１０  第１チャート、３２０  第２チャート、３３０  第３チャート、４００  シャフト選定ユニット、５００  表示装置。
【図１】
2006289073.tif 000007
【図２】
2006289073.tif 000008
【図３】
2006289073.tif 000009
【図４】
2006289073.tif 000010
【図５】
2006289073.tif 000011
【図６】
2006289073.tif 000012
【図７】
2006289073.tif 000013
【図８】
2006289073.tif 000014
【図９】
2006289073.tif 000015
【図１０】
2006289073.tif 000016
【図１１】
2006289073.tif 000017
【図１２】
2006289073.tif 000018
【図１３】
2006289073.tif 000019
【図１４】
2006289073.tif 000020
【図１５】
2006289073.tif 000021
【図１６】
2006289073.tif 000022
【図１７】
2006289073.tif 000023